(57)【要約】      （修正有）【課題】着用者の激しい運動時や、顔面発汗時でも眼鏡が簡単にずり落ちない、マルチアングル式湾曲眼鏡用脚部を提供する。【解決手段】主脚部１、副脚部５、弾性体部２、滑り部３および接続部４を有し、副脚部をロック可能な開閉角度で主脚部の後部にヒンジにより取り付けたことを特徴とするマルチアングル式湾曲眼鏡用脚部である。着用者が、異なる状況においてベストな対応を取ることができるように脚部の後部の湾曲角度を開閉又は変更できる。マルチアングル式湾曲眼鏡用脚部は、簡単かつ斬新な意匠の新規な機構を有する。【選択図】図１
2018060216.tif 000002
【特許請求の範囲】
【請求項１】
主脚部、副脚部、弾性体部、滑り部および接続部を有し、この副脚部をロック可能な開閉角度で前記主脚部の後部にヒンジにより取り付けたことを特徴とするマルチアングル式湾曲眼鏡用脚部。
【請求項２】
前記主脚部の後部にキャビティ部を設け、このキャビティに前記弾性体部および前記滑り部を設け、前記滑り部および前記副脚部の接触面を係合可能な歯の形状にしたことを特徴とする請求項１に記載のマルチアングル式湾曲眼鏡用脚部。
【請求項３】
前記副脚部の一部または全体を前記主脚部の前記キャビティ内に装着したことを特徴とする請求項２に記載のマルチアングル式湾曲眼鏡用脚部。
【請求項４】
前記主脚部が前記眼鏡用脚部の前側部分であり、そして前記副脚部が後側部分であり、これら部分を相互に接続するとともに、前記副脚部が前記主脚部の外側において露出または半分を露出したことを特徴とする請求項１に記載のマルチアングル式湾曲眼鏡用脚部。
【請求項５】
前記滑り部の前記歯が一つの歯からなるか、あるいは複数の歯からなり、前記滑り部が中空の中心において、あるいは中実の中心においてＴ形状、矩形、円筒形、および多面体形状である請求項３に記載のマルチアングル式湾曲眼鏡用脚部。
【請求項６】
前記滑り部がブロックおよび中心バーを有し、このブロックの上部が歯であり、前記弾性体部がこの中心バーの外側を被覆するか、あるいは前記滑り部がブラインドホールを有し、前記弾性体部をこのブラインドホール内に装着するか、あるいは前記弾性体部を前記滑り部の後側に装着した請求項３に記載のマルチアングル式湾曲眼鏡用脚部。
【請求項７】
前記接続部分が軸、ネジまたはリベットを有する請求項３に記載のマルチアングル式湾曲眼鏡用脚部。
【請求項８】
前記副脚部および前記主脚部の前記接触面が関節式のヘッドであり、このヘッドがヒンジ孔をもつ平坦な要素であり、このヒンジ孔を中心として前記歯に前記関節式ヘッドの上面を装着し、
前記関節式ヘッドの表面の両側が双方とも平面か、あるいは平面に近い曲面であり、この平面か曲面に、前記関節式ヘッドの表面の両側に対して垂直なスルーホールを設けたことを特徴とする請求項３に記載のマルチアングル式湾曲眼鏡用脚部。
【請求項９】
前記弾性体部として、バネ、弾性を示すプラスチック、又は円筒形ゴム体のいずれかが含まれる円筒体を有する請求項３に記載のマルチアングル式湾曲眼鏡用脚部。
【請求項１０】
前記副脚部の前側にキャビティ部を設け、このキャビティ部に前記弾性体部および滑り部を設けるとともに、前記滑り部および前記主脚部の接触面を係合可能な歯の形状に構成した請求項１に記載のマルチアングル式湾曲眼鏡用脚部。
【発明の詳細な説明】
【技術分野】
【０００１】
本発明は眼鏡用脚部、特にマルチアングル式湾曲眼鏡用脚部に関する。
【背景技術】
【０００２】
通常の眼鏡用脚部の場合、下向きの湾曲は少しでよいため、通常の状態では滑り落ちることはないが、着用者の激しい運動時や、顔面発汗時には眼鏡は簡単にずり落ちる。通常、多くの使用者はロープを使用して眼鏡用脚部を後頭部に結び付けるか、大型の眼鏡用湾曲脚部を購入している。しかし、これは多くの費用が掛り過ぎる上に、不便である。そこで多角度で湾曲可能な眼鏡用脚部が発明される。この脚部を使用すると、着用者はきわめてスマートに眼鏡を着用することができる。また、眼鏡用脚部の後部は折り曲げて、耳に固定することができ、落下することはない。また、必要に応じて開閉できる。
【発明の概要】
【０００３】
本発明の目的は、ギヤを使用して眼鏡用脚を開くか、あるいは湾曲させることによって着用者の期待にこたえる異なる湾曲度をもつ、簡単な構造とともに斬新な意匠をもつ眼鏡用脚を提供することにある。
【０００４】
本発明のマルチアングル式湾曲眼鏡用脚部は、主脚部、副脚部、弾性体部、滑り部および接続部を有し、この副脚部をロック可能な開閉角度で上記主脚部の後部にヒンジにより取り付けたことを特徴とするものである。
【０００５】
好ましくは、上記主脚部の後部にキャビティ部を設け、このキャビティに上記弾性体部および上記滑り部を設け、上記滑り部および上記副脚部の接触面を係合可能な歯の形状にする。また、適宜、滑り部と副脚部の係合部を相互変更してもよい。即ち、弾性体部および滑り部を有するキャビティを副脚部の前側に装着し、滑り部および主脚部の接触面を歯係合面（係合可能な歯の形状、tooth profile to engage）としてもよい。
【０００６】
副脚部の一部または全体を上記主脚部の上記キャビティに装着することが好ましい。
【０００７】
主脚部が眼鏡用脚部の前側部分であり、そして上記副脚部が後側部分であることが好ましい。またこれら部分を相互に接続するとともに、上記主脚部の外側において露出または半分を露出する。
【０００８】
滑り部の歯が一つの歯からなるか、あるいは複数の歯からなり、滑り部が中空の中心において、あるいは中実の中心においてＴ形状、矩形、円筒形、および多面体形状であることが好ましく、また滑り部がブロックおよび中心バーを有し、このブロックの上部が歯であり、中心バーが円筒体であり、しかも弾性体部がこの中心バーの外側を被覆するのが好ましい。
【０００９】
適宜、Ｔ形状滑り部のブロックが円筒体および多面体を有し、中心バーが異なる種類の多面体を有してもよい。
【００１０】
適宜、滑り部のブロックを、歯をもつ矩形のキューブ、歯をもつ異なる種類の多面体、歯をもつ円筒体で構成してもよく、また中心バーは異なる種類の多面体を有していてもよい。
【００１１】
好ましくは、ブラインドホール（blind hole）が滑り部内に存し、弾性体部をブラインドホール内に装着するか、あるいは滑り部の後側に装着する。
【００１２】
接続部分に関しては、軸、ネジまたはリベットを有するのが好ましい。
【００１３】
副脚部および主脚部の接触面が関節式のヘッド（articulated head）であり、このヘッドがヒンジ孔をもつ平坦な要素であり、このヒンジ孔を中心として上記の歯に関節式ヘッドの上面を装着し、
関節式ヘッドの表面の両側が双方とも平面か、あるいは平面に近い曲面であり、この平面か曲面に、関節式ヘッドの表面の両側に対して垂直なスルーホール（through hole）を設けることが好ましい。
【００１４】
本発明は、着用者の要求に応じて眼鏡用脚部を湾曲動作でき、異なる湾曲角度を元に戻す動作を簡単かつ斬新な意匠で実施できる作用効果をもつ。
【図面の簡単な説明】
【００１５】
【図１】本発明の第１実施例を示す内側構造図である。
【図２】本発明の第１実施例の立体的な構造を示す展開図である。
【図３】本発明の第１実施例を示す外面図である。
【図４】本発明の第２実施例を示す内側構造図である。
【図５】本発明の第３実施例を示す内側構造図である。
【発明を実施するための形態】
【００１６】
以下、本発明の実施態様を説明する。
【００１７】
図１および図２について説明すると、本発明のマルチアングル式湾曲眼鏡用脚部は主脚部１、弾性体部２（本実施態様ではプラスチックまたはゴムからなる弾性体部）、滑り部３、接合部（この実施態様では軸部４を使用する）、および副脚部５を有する。本発明の特徴は、弾性体部２、滑り部３、軸部４および副脚部５を収めるキャビティを主脚部１の後部に有することにある。上記弾性体部２、滑り部３、軸部４および副脚部５の一部または全体が上記主脚部の上記キャビティ内に装着される。滑り部３はＴ形状である。歯および中心バー部３２をもつブロック３１はシリンダで、弾性体部２がＴ形状の滑り部の中心バー３２を被覆する。副脚部５の上部５１は半分が歯であり、両側５２は（一面のみを図示してある）平面である。上記キャビティ内のそれぞれ対応する位置に弾性体部２、滑り部３、軸部４および副脚部５を装着する。軸部４は主脚部１および副脚部５の対応する穴部を挿通し、眼鏡用脚部を構成する。この眼鏡用脚部は、軸部４を中心にして副脚部５が回転した状態において多角度で湾曲動作（回転動作）でき、いつでも元の位置に戻ることが可能である。
【００１８】
図３は、本発明のマルチアングル式湾曲眼鏡用脚部の実施例のうちの一つの実施例の別な外観を示す図であり、副脚部５が異なる形態で湾曲する例を示す図である。
【００１９】
図４は、Ｔ形状の滑り部３のバー部は厚く、弾性体部２（本実施態様では弾性体部はバネである）については、滑り部３の中心バー部の後ろに設ける。さらに、滑り部は、矩形、円形などの形態で歯とかみ合う。
【００２０】
図５に、第３実施例の内側構造の特徴を示す。滑り部３は中空中心部をもつ矩形形状であり、ここに弾性体部２（本実施態様では弾性体部はバネである）を装着する。主脚部１および副脚部５は接続される。
【００２１】
以上説明した本発明の実施態様は、説明を目的とするもので、本発明を限定するものではない。当業者ならば、発明の精神および本質に従わなくても、変形、改良などを実施できるはずである。等価な変形、改良などは本発明の範囲にあるものとする。
【符号の説明】
【００２２】
１：主脚部
２：弾性体部
３：滑り部
４：軸部
５：副脚部
３１：ブロック
３２：中心バー
５１：上部
５２：両側
【図１】
2018060216.tif 000003
【図２】
2018060216.tif 000004
【図３】
2018060216.tif 000005
【図４】
2018060216.tif 000006
【図５】
2018060216.tif 000007